(57)【要約】      （修正有）【課題】ユーザによってキャプチャされた画像列と、該画像列について対象とする用途との適合性について、無線通信装置のユーザに通知するための方法およびシステム。【解決手段】無線通信装置は、ビデオキャプチャシステムと、ユーザインターフェースと、ビデオキャプチャシステムおよびユーザインターフェースに対して通信可能に接続されたプロセッサと、を備えている。プロセッサの制御下において、ビデオキャプチャシステムによってキャプチャされた画像列が、ユーザインターフェースが備えるディスプレイに表示されると同時に、該画像列と、１以上の、画像列について対象とする用途との適合性を示す情報である適合情報をディスプレイに表示する。ディスプレイに表示された、対象とする用途の制限マーカおよび忠告画面イベントにより、画像列を撮影しているユーザが、その画像列の対象とする用途によって与えられた時間をよりよく配分できる。【選択図】図１
2008104158.tif 000002
【特許請求の範囲】
【請求項１】
無線通信装置であって、
ビデオキャプチャシステムと、
ディスプレイを有したユーザインターフェースと、
上記ビデオキャプチャシステムおよび上記ユーザインターフェースに対して通信可能に接続されたプロセッサと、を備えており、
上記プロセッサが、上記ビデオキャプチャシステムによってキャプチャされた画像列を上記ディスプレイに表示させると同時に、該画像列と、１以上の、画像列について対象とする用途との適合性を示す情報である適合情報とを、上記ディスプレイに表示するように制御することを特徴とする無線通信装置。
【請求項２】
上記適合情報は、上記画像列の現在の長さを示す表示と、上記対象とする用途において制限された長さを示す表示とを含んでいることを特徴とする請求項１に記載の無線通信装置。
【請求項３】
上記現在の長さの表示、および上記制限された長さの表示は、プログレスバーの形式で表示されることを特徴とする請求項２に記載の無線通信装置。
【請求項４】
上記適合情報は、上記ディスプレイに表示された画像列の現在の長さが、上記対象とする用途において制限された長さにほぼ等しくなった時点で表示される画面イベントを含んでいることを特徴とする請求項１に記載の無線通信装置。
【請求項５】
上記適合情報は、上記ディスプレイに表示された画像列の現在の長さが、上記対象とする用途において制限された長さを超過したときに表示される画面イベントを含んでいることを特徴とする請求項１に記載の無線通信装置。
【請求項６】
上記対象とする用途には、データ長が制限されているマルチメディアメッセージ形式にて、上記無線通信装置の無線インターフェースを介し、上記画像列をオフロードすることが含まれていることを特徴とする請求項１に記載の無線通信装置。
【請求項７】
上記画像列は、ほぼリアルタイムで表示されることを特徴とする請求項１に記載の無線通信装置。
【請求項８】
上記適合情報は、ほぼリアルタイムで表示されることを特徴とする請求項１に記載の無線通信装置。
【請求項９】
上記対象とする用途において制限された長さとは、上記画像列の時間長であることを特徴とする請求項２に記載の無線通信装置。
【請求項１０】
上記対象とする用途において制限された長さとは、上記画像列のデータ長であることを特徴とする請求項２に記載の無線通信装置。
【請求項１１】
無線通信装置のユーザからの指示に応じてキャプチャされた画像列と、画像列について対象とする用途との適合性を示す情報を、該無線通信装置のユーザに対して提供するための方法であって、
キャプチャされている上記画像列を、上記無線通信装置のディスプレイに表示する工程と、
上記画像列と、１以上の、画像列について対象とする用途との適合性を示す情報である適合情報を、上記ディスプレイに同時に表示する工程とを含んでいることを特徴とする方法。
【請求項１２】
上記適合情報は、上記画像列の現在の長さを示す表示と、上記対象とする用途において制限された長さを示す表示とを含んでいることを特徴とする請求項１１に記載の方法。
【請求項１３】
上記現在の長さの表示、および上記制限された長さの表示は、プログレスバーの形式で表示されることを特徴とする請求項１２に記載の方法。
【請求項１４】
上記適合情報は、上記ディスプレイに表示された画像列の現在の長さが、上記対象とする用途において制限された長さにほぼ等しくなった時点で表示される画面イベントを含んでいることを特徴とする請求項１１に記載の方法。
【請求項１５】
上記適合情報は、上記ディスプレイに表示された画像列の現在の長さが、上記対象とする用途において制限された長さを超過したときに表示される画面イベントを含んでいることを特徴とする請求項１１に記載の方法。
【請求項１６】
上記対象とする用途には、データ長が制限されているマルチメディアメッセージ形式にて、上記無線通信装置の無線インターフェースを介し、上記画像列をオフロードすることが含まれていることを特徴とする請求項１１に記載の方法。
【請求項１７】
上記画像列は、ほぼリアルタイムで表示されることを特徴とする請求項１１に記載の方法。
【請求項１８】
上記適合情報は、ほぼリアルタイムで表示されることを特徴とする請求項１１に記載の方法。
【請求項１９】
上記対象とする用途において制限された長さとは、上記画像列の時間長であることを特徴とする請求項１２に記載の方法。
【請求項２０】
上記対象とする用途において制限された長さとは、上記画像列のデータ長であることを特徴とする請求項１２に記載の方法。
【発明の詳細な説明】
【技術分野】
【０００１】
本発明は、移動体電子装置の画像列（video sequence）の記録に関するものであって、さらに具体的には、ユーザが、無線通信装置に記録された画像列の長さを、当該画像列の使用可能期限(target use)に容易に適合させることができるようにする無線通信装置および方法に関するものである。
【背景技術】
【０００２】
携帯電話、ポケットＰＣ、およびＰＤＡなどの無線通信装置は、短い画像列を記録する機能を備えたビデオキャプチャシステムを有している場合が多い。記録された短い画像列は、多くの様々な方法によって記録、転送、および再生することができる。例えば、キャプチャされた短い画像列は、無線通信装置のローカルメモリに記憶され、そして該無線通信装置において再生することができる。キャプチャされた短い画像列は、無線通信装置内に挿入された取り外し可能なメモリカードに記憶され、該無線通信装置において再生することもできる。あるいは、キャプチャされた短い画像列は、上記取り外し可能なメモリカードを受容する別の装置に転送し、この別の装置において再生することができる。また、キャプチャされた短い画像列は、無線通信装置のローカルメモリに記憶され、そして有線接続された別のローカル装置に転送し、再生することができる。あるいは、キャプチャされた短い画像列は、無線通信装置のローカルメモリに記憶され、無線接続された遠隔装置に転送され、再生することができる。
【０００３】
これらの対象とする用途それぞれでは、画像列について、異なる、制限された長さ（limit length）が設定されている。この制限された長さとは、記録装置、再生装置、およびこれらのような装置間において画像列が転送される際のモードに、固有のものである、あるいは設定されたものである。例えば、ある装置のローカルメモリには、このメモリに記憶された画像列に対して第１の制限された長さが設定され、取り外し可能なメモリカードには、このメモリカードに記憶された画像列に対して第２の制限された長さが設定されている。そして装置間の転送モードでは、転送された画像列に対して第３の制限された長さが設定されている。後者のタイプの制限（第３の制限された長さ）に関しては、携帯電話ネットワークに画像列を転送するための一般的なサービスの１つである、マルチメディアメッセージングサービス（Multimedia Messaging Service; MMS）がある。ＭＭＳをサポートする携帯電話ネットワークのオペレータ（キャリア）は、通常は、画像列を運ぶために用いられるＭＭＳメッセージサイズに、例えば１００キロバイトなどの制限を設定している。
【特許文献１】米国特許第５２８２２６６号明細書（１９９４年１月２５日公開））
【特許文献２】米国特許第５３０１３４８号明細書（１９９４年４月５日公開））
【特許文献３】米国特許出願公開第２００２／００５４７５０号明細書（２００２年５月９日公開）
【特許文献４】米国特許出願公開第２００４／００８１１１０号明細書（２００４年４月２９日公開）
【特許文献５】米国特許出願公開第２００４／０１３１２８２号明細書（２００４年７月８日公開）
【特許文献６】米国特許第６８３２１０５号明細書（２００４年１２月１４日公開））
【特許文献７】米国特許出願公開第２００５／０１５１８３４号明細書（２００５年７月１４日公開）
【特許文献８】米国特許出願公開第２００５／０１５７１８３号明細書（２００５年７月２１日公開）
【特許文献９】米国特許出願公開第２００６／０１３３３４０号明細書（２００６年６月２２日公開）
【特許文献１０】英国特許出願公開第２３７８６２９号明細書（２００３年２月１２日公開））
【発明の開示】
【発明が解決しようとする課題】
【０００４】
しかしながら、前述のように、画像列の長さに制限が設定されているにも関わらず、従来の無線通信装置では、対象とする用途において制限された長さを超過しない画像列がどれだけの長さであるのかをユーザに通知しない。このため、キャプチャされた画像列の長さが、ユーザの気付かないうちに制限された長さを超える場合が多い。そして、制限を超過したこのような画像列は切り取られてしまい、再生してもその末端が視聴不可能となるか、あるいは全く再生されなくなることもある。
【０００５】
本発明は、上記従来の問題点に鑑みなされたものであって、その目的は、キャプチャされた画像列の長さを、該画像列について、対象とする用途に容易に適合させることができるようにする無線通信装置および方法を提供することにある。
【課題を解決するための手段】
【０００６】
本発明は、基本的な特徴として、無線通信装置のユーザに対して、当該ユーザがキャプチャした画像列の長さが、該画像列について対象とする用途と適合するかを通知するための方法およびシステムを提供する。
【０００７】
一形態では、無線通信装置は、ビデオキャプチャシステムと、ユーザインターフェースと、上記ビデオキャプチャシステムおよび上記ユーザインターフェースに対して通信可能に接続されたプロセッサと、を備えている。上記プロセッサの制御下において、上記ビデオキャプチャシステムによってキャプチャされた画像列が、上記ユーザインターフェースが備えるディスプレイに表示されると同時に、該画像列と、１以上の、画像列について対象とする用途との適合性を示す情報（適合情報）が上記ディスプレイに表示される。
【０００８】
別の形態では、無線通信装置のユーザからの指示に応じてキャプチャされた画像列と、該画像列について対象とする用途との適合性を示す情報を、該無線通信装置のユーザに対して提供するための方法が、キャプチャされている上記画像列を、上記無線通信装置のディスプレイに表示する工程と、上記画像列と、１以上の、画像列について対象とする用途との適合性を示す情報である適合情報を、上記ディスプレイに同時に表示する工程とを含んでいる。
【０００９】
上記適合情報は、上記画像列の現在の長さを示す表示、上記画像列の、上記対象とする用途において制限された長さを示す表示、上記ディスプレイに表示された画像列の現在の長さが、上記画像列の、対象とする用途において制限された長さにほぼ等しくなった時点で表示される第１の画面イベント、および上記ディスプレイに表示された画像列の現在の長さが、上記対象とする用途において制限された長さを超過したときに表示される第２の画面イベントのうちの少なくとも１つを含んでいてもよい。上記制限された長さとは、データ長または時間長であってもよい。また上記現在の長さ、および上記制限された長さは、プログレスバーの形式で表示されてもよい。
【００１０】
上記対象とする用途とは、上記無線通信装置が備えるローカルメモリから読み出した画像列の再生、取り外し可能なメモリカードから読み出した画像列の再生、有線インターフェースを介して上記無線通信装置からローカル装置にオフロードした画像列の再生、および無線インターフェースを介して上記無線通信装置から遠隔装置にオフロードした画像列の再生を含む。上記対象とする用途が、遠隔装置での画像列の再生を含んでいる場合は、この画像列を、上記無線通信装置から有線インターフェースを介してＭＭＳメッセージ形式で遠隔装置にオフロードすることができる。
【００１１】
また、少なくとも上記画像列または上記適合情報は、ほぼリアルタイムで表示することができる。
【００１２】
本発明の上記および上記以外の形態は、図面と共に以下の詳細な説明を参照することによって、よりよく理解されるであろう。図面については以下に簡単に説明する。本発明は、言うまでもなく、特許請求の範囲によって規定される。
【発明の効果】
【００１３】
本発明の無線通信装置は、以上のように、プロセッサが、上記ビデオキャプチャシステムによってキャプチャされた画像列を、上記ユーザインターフェースが備えるディスプレイに表示させると同時に、上記画像列と、上記少なくとも１つの、該画像列について対象とする用途との適合性を示す適合情報を上記ディスプレイに表示させる構成である。
【００１４】
このため、上記対象とする用途に応じて、制限された画像列の長さの範囲で、画像列を読み出し再生させることができる。つまり、上記画像列の長さを、該画像列について対象とする用途に容易に合わせることができるという効果を奏する。
【発明を実施するための最良の形態】
【００１５】
図１には、本発明の一実施形態における無線通信装置１００が示されている。無線通信装置１００は、例えば無線ネットワークへの接続性を備えた携帯電話、インターネットプロトコル（ＩＰ）電話、ポケットＰＣ、あるいはＰＤＡ（personal data assistant）であってよい。無線通信装置１００は、ビデオキャプチャシステム１３０と、ユーザインターフェース１４０と、取り外し可能なメモリカード１５０と、無線インターフェース１６０との間で通信可能に接続されたプロセッサ１１０を有している。プロセッサ１１０は、ローカルメモリ１２０内に記憶されているデバイスソフトウェアを実行するよう構成されているとともに、無線通信装置１００によってサポートされる様々な構造および機能を実施するために、素子１３０、１４０、１５０、および１６０と相互運用されるように構成されている。
【００１６】
ビデオキャプチャシステム１３０は、プロセッサ１１０の制御下において、画像列をキャプチャするように構成されたビデオカメラを備えている。一部の実施形態では、ビデオキャプチャシステム１３０は、プロセッサ１１０の制御下において、音声列（audio sequence）を伴った画像列をキャプチャするように構成されたマイクをさらに備えている。本明細書に記載されている画像列は、特に明記されていない場合であっても、音声列をともなったものを含んでいるものと理解されたい。
【００１７】
ユーザインターフェース１４０は、ビデオキャプチャシステム１３０によってキャプチャされている画像列を、プロセッサ１１０の制御下においてほぼリアルタイムで表示するように構成されたディスプレイを備えている。このディスプレイもまた、プロセッサ１１０の制御下において、画像列がその対象とする用途に合っているかに関する情報をほぼリアルタイムで表示するように構成されている。上記ディスプレイは、例えば液晶ディスプレイ（ＬＣＤ）であってもよい。ユーザインターフェース１４０はまた、ユーザからの入力を受けるように構成されたキーパッドを備えている。このキーパッドは、例えば、ソフトキーを備えた標準的な１２キーの電話キーパッドであってもよい。
【００１８】
メモリカード１５０は、無線通信装置１００に対して容易に着脱可能となっており、かつプロセッサ１１０の制御下において、無線通信装置１００において受信または生成されたデータ（例えば、ビデオキャプチャシステム１３０によってキャプチャされた画像列）をデジタル形式で記憶するように構成された記憶素子である。無線通信装置１００は、メモリカード１５０を収容できるように構成されるとともに、メモリカード１５０と通信可能に接続されるように構成された通信インターフェースを有したスロットを備えている。
【００１９】
無線インターフェース１６０は、無線通信装置１００と、ネットワークアクセスポイントを介して通信可能な遠隔装置との間を無線接続するように構成されたネットワークインターフェースである。無線通信装置１００は、上記ネットワークアクセスポイントによって無線リンク（over-air link）を確立している。一部の実施形態では、無線インターフェース１６０は、携帯電話基地局との無線携帯電話リンクを確立する携帯電話インターフェースである。別の実施形態では、無線インターフェース１６０は、８０２．１１アクセスポイントとの無線ＬＡＮリンクを確立する、８０２．１１準拠のＬＡＮインターフェースであってもよい。
【００２０】
一部の実施形態では、無線通信装置１００は、無線通信装置１００とローカル装置とを有線接続するように構成された有線インターフェースをさらに備えている。
【００２１】
次に図２では、ローカルメモリ１２０がより詳細に示されている。ローカルメモリ１２０は、オペレーティングシステム２１０、ビデオレコーダ／プレーヤ２２０、プログレスバー設定部２３０、およびマルチメディアメッセージングサービス／ワイヤレスアプリケーションプロトコル（ＭＭＳ／ＷＡＰ）クライアント２４０を備えている。一部の実施形態では、ローカルメモリ１２０はフラッシュメモリである。オペレーティングシステム２１０では、無線通信装置１００によってサポートされる様々な構成および機能を実現するソフトウェアプログラムを、プロセッサ１１０によって管理および実行するための命令（instruction）を含んでいる。また、ビデオレコーダ／プレーヤ２２０は、１つ以上のソフトウェアプログラムを実装している。このソフトウェアプログラムは、ビデオキャプチャシステム１３０による画像列のキャプチャを実行するために、プロセッサ１１０によって実行可能な命令を含んでいるとともに、ユーザインターフェース１４０のディスプレイに画像列を表示する。ビデオレコーダ／プレーヤ２２０はまた、プログレスバー設定部２３０を呼び出して、画像列が、その対象とする用途とに合っているかを示す情報の表示を実施する。上記プログレスバー設定部２３０は、画像列の、対象とする用途に応じた、制限された長さを指定するための設定部を備えている。一部の実施形態では、設定部２３０により設定された、制限された長さは、画像列に関する最大時間長（例えば秒）として表されている。また、別の実施形態では、上記プログレスバー設定部２３０により設定された、制限された長さは、画像列に関する最大データ長（例えばキロバイト）として表されている。ＭＭＳ／ＷＡＰクライアント２４０は、ＭＭＳをメッセージング技術として用いるとともに、ＷＡＰを転送技術として用い、無線インターフェース１６０を介して画像列を転送するための、ＭＭＳおよびＷＡＰのクライアント機能をサポートするように構成されたソフトウェアプログラムを含んでいる。
【００２２】
次に図３には、プログレスバー設定２３０内の典型的な設定テーブル３００が示されている。テーブル３００内の各項目は、画像列の対象とする用途を示す識別子、およびキロバイト単位でのデータ制限を含んでいる。第１の項目は＜ＭＭＳ，１００＞である。この項目では、ＭＭＳメッセージにて、画像列を無線通信装置１００から無線インターフェース１６０によりオフロード（offloading）した後に、遠隔装置にて再生する、この画像列の対象とする用途を示す。また、この項目では、画像データ列がこの対象とする用途において、妨害をうけることのない、制限された長さが１００ＫＢ以下であることを示す。
【００２３】
なお、この対象とする用途での制限された長さは、ＭＭＳメッセージにおける最大サイズと合致する。例えば、ネットワークオペレータは、ＭＭＳメッセージの最大サイズを１００ｋＢに制限することができる。この場合、ＭＭＳ／ＷＡＰクライアント２４０は、１００ｋＢを超えた画像列を切り取るか、あるいはこの１００ｋＢを超えた画像列をオフロードすることを拒絶することによって、１００ｋＢの、制限された長さを強制することができる。第２の項目は＜ＬＯＣ，２００＞である。この項目では、対象とする用途としてローカルメモリ１２０から画像列が再生されることを示し、画像データ列がこの対象とする用途において、妨害をうけることのない、制限された長さが２００ＫＢ以下であることを示す。上記対象とする用途において制限された長さは、ローカルメモリ１２０が画像列を記憶するために利用可能なメモリ量に関連している。例えば、ローカルメモリ１２０において、利用可能なメモリ量は、２００ｋＢとなる。第３の入力は＜ＭＣ，４００＞である。この項目では、対象とする用途としてメモリカード１５０から画像列が再生されることを示し、そして画像データ列がこの対象とする用途において、妨害をうけることのない、制限された長さが４００ＫＢ以下であることを示す。上記対象とする用途において制限された長さは、メモリカード１５０が画像列を記憶するために利用可能なメモリ量に関連している。例えば、メモリカード１５０において、利用可能なメモリ量は、４００ｋＢとなる。
【００２４】
言うまでもなく、上述した設定は単なる典型例であって、様々な制限された長さを持つ、様々な対象となる用途に対する項目が設定されてもよい。例えば一部の実施形態では、無線通信装置１００から有線インターフェースを介して画像列をオフロードし、ローカル装置において、該画像列を再生する、対象となる用途を示す項目があってよい。さらに、一部の実施形態では、制限された長さとして、画像列のデータ長ではなく、画像列が再生される時間長で表してもよい。しかしながら、記録された画像における変化量に基づき生成されたデータ量に、通常、依存するため、時間長は、特定のデータ長と固定的な関係として一致するものではないということは理解できよう。
【００２５】
プログレスバー設定部２３０は、無線通信装置１００の製造元によって初期設定されていてもよく、無線通信装置１００のユーザが、例えばユーザインターフェース１４０のキーパッドからの入力を介して更新できるようになっていてもよい。一部の実施形態では、プログレスバー設定部２３０は、過渡的な条件（transient conditions）によって生じる長さ制限の変化（例えば、画像列を記憶するために現在利用可能なローカルメモリ１２０またはメモリカード１５０のメモリ量における一過性の変化）を反映して自動的に更新されるようになっていてもよい。
【００２６】
次に図４には、本発明の一実施形態として、ユーザインターフェース１４０のディスプレイ４００の典型的な画面４１０が示されている。画面４１０は、ビデオキャプチャシステム１３０による画像列のキャプチャと実質的に同時に、すなわち、ほぼリアルタイムで表示される。画面４１０は、ほぼリアルタイムで画像列を表示する一方で、当該画像列とその使用可能期限とが適合しているかどうかの情報を、実質的にほぼリアルタイムで表示する。
【００２７】
図示されている上記実施形態では、２つの対象とする用途についての適合情報が示されている。第１の対象とする用途は、ＭＭＳメッセージ形式で、無線インターフェース１６０を介してオフロードされた画像列の遠隔再生である。第２の対象とする用途は、ローカルメモリ１２０から読み出した画像列のローカル再生である。上記適合情報は、ＭＭＳ制限マーカ４４０およびＬＯＣ制限マーカ４５０に関連する画像列の、現在の長さを示す現在長インジケータ４３０を有するプログレスバー４２０を備えている。ＭＭＳ制限マーカ４４０およびＬＯＣ制限マーカ４５０は、それぞれ、遠隔再生を行う対象とする用途における制限された長さ、ならびにローカル再生を行う対象とする用途における制限された長さに関連している。制限マーカ４４０，４５０は、プログレスバー４２０上にわずかな距離を隔てており、ビデオレコーダ／プレーヤ２２０によってプログレスバー設定部２３０から取り出された、制限された長さに従って表示される。この制限された長さは、無線通信装置１００によってサポートされる最大画像列キャプチャ長の範囲内にある。例えば、図示されている実施形態では、装置によってサポートされる画像列の最大キャプチャ長は４００ｋＢであり、プログレスバー４２０は４００ｋＢ長である。また、ＭＭＳメッセージ形式でオフロードした画像列を遠隔にて再生する場合の、制限された長さは１００ｋＢであり、ＭＭＳ制限マーカ４４０はプログレスバー４２０の４分の１の地点において表示されている。そして、ローカルメモリ１２０からの画像列をローカル再生する場合の、制限された長さは２００ｋＢであり、ＬＯＣ制限マーカ４５０はプログレスバー４２０の半分の地点に表示されている。
【００２８】
動作中では、ユーザが画像列を撮影している際に、現在長インジケータ４３０がプログレスバー４２０を左から右へと横切って制限マーカ４４０、４５０に接近し、最終的にはこれらを過ぎてプログレスバー４２０の右端へ向かう。現在長インジケータ４３０が制限マーカ４４０，４５０とほぼ一致する、および制限マーカ４４０，４５０を超過すると、ユーザに対して忠告画面イベントが発せられる。一部の実施形態では、各制限マーカ４４０，４５０とほぼ一致すると、画面４１０にテキストメッセージが表示されて、制限マーカ４４０，４５０のいずれか１つに関する対象とする用途にて設定された、制限された長さに達しつつあることをユーザに警告する。また、各制限マーカ４４０，４５０を越えると、画面４１０にテキストメッセージが表示されて、制限マーカ４４０，４５０のいずれか１つに関する対象とする用途にて設定された、制限された長さを超過したことをユーザに通知する。一部の実施形態では、テキストメッセージに加えて、あるいはテキストメッセージの代わりに、現在長インジケータ４３０内において色変化を用いて、上記制限された長さに関する画像列の現在の状態を通知するようになっていてもよい。
【００２９】
制限マーカおよび通知画面イベントによって、画像列を撮影しているユーザが、その画像列の対象とする用途によって与えられた時間をよりよく配分できることが理解できよう。
【００３０】
警告画面イベントは、現在長インジケータ４３０が各制限マーカ４４０、４５０のうちの１つから数キロバイト離れているときに発せられる。一部の実施形態では、このキロバイト数は、プログレスバー設定２３０内において設定されるようになっていてもよい。
【００３１】
次に図５には、本発明の一実施形態において、無線通信装置１００によって実施される方法のフローが示されている。示されている工程は、ビデオレコーダ／プレーヤ２２０によって実施または促進される。ビデオレコーダ／プレーヤ２２０は、プロセッサ１１０によって動作し、またビデオキャプチャシステム１３０と、ユーザインターフェース１４０と、プログレスバー設定２３０とに接続されている。上記フローは、無線通信装置１００が画像列のキャプチャ開始を待つ（５１０）ことから始まる。画像列のキャプチャが開始されると、無線通信装置１００は、プログレスバー設定部２３０を参照した上で、画像列の対象とする用途にて設定された制限された長さ（ＴＵＬＬ）を決定する（５２０）。動作ＴＵＬＬが決定されると、無線通信装置１００では、キャプチャされている画像列をほぼリアルタイムでディスプレイ４００に表示すると同時に、現在の長さ、および動作ＴＵＬＬの中から決定された１つ以上のＴＵＬＬマーカを示す準リアルタイムプログレスバーを表示する（５３０）。そして次のフローに進み、無線通信装置１００では、ＴＵＬＬの現在長インジケータが上記ＴＵＬＬマーカとほぼ一致するのを待つ。そして、ＴＵＬＬに到達する時点で、無線通信装置１００では、ディスプレイ４００にＴＵＬＬ警告画面イベントを表示する（５４０）。次に、無線通信装置１００では、上記現在長インジケータがＴＵＬＬを超過するのを待つ。そして、ＴＵＬＬを超過すると、無線通信装置１００は、ＴＵＬＬ超過画面イベントを表示する（５５０）。言うまでもなく、動作ＴＵＬＬが複数設定されている場合は、ステップ５４０およびステップ５５０が繰り返される。
【００３２】
本発明は、その精神または本質的な特徴から逸脱することなく、上記以外の形態においても実施可能であることは、当技術分野において通常の技術を有する者であれば理解するであろう。従って本説明は、あらゆる意味において、例証するものであって制限するものではないと言える。本発明の範囲は、特許請求の範囲によって示されており、本発明と同等の意味および範囲を有する全ての変更は、本発明に包含される。
【産業上の利用可能性】
【００３３】
以上のように、本発明の無線通信装置および方法は、キャプチャされた画像列の長さを、該画像列について対象とする用途に容易に合わせることを可能にする。従って、本発明は、例えば動画のような画像列を記録する機能を備えた無線通信装置に関連する産業分野に好適に用いることができる。
【図面の簡単な説明】
【００３４】
【図１】本発明の一実施形態における無線通信装置を示す図である。
【図２】本発明の一実施形態における無線通信装置のローカルメモリを示す図である。
【図３】本発明の一実施形態における無線通信装置のプログレスバー設定内における典型的なテーブルである。
【図４】本発明の一実施形態における無線通信装置のディスプレイ上の典型的な画面を示す図である。
【図５】本発明の一実施形態における無線通信装置によって実施される方法のフロー図である。
【符号の説明】
【００３５】
１００    無線通信装置
１１０    プロセッサ
１２０    ローカルメモリ
１３０    ビデオキャプチャシステム
１４０    ユーザインターフェース
１５０    メモリカード
１６０    無線インターフェース
【図１】
2008104158.tif 000003
【図２】
2008104158.tif 000004
【図３】
2008104158.tif 000005
【図４】
2008104158.tif 000006
【図５】
2008104158.tif 000007